(57)【要約】      （修正有）【課題】重積した多数の紙製中空円錐容器について一つずつスムーズに取り外すことができる紙製中空円錐容器であって、重積時の取り外しの容易化が図れ、更にこの紙製中空円錐容器は、特に食品等を収納するものであり、食品の容器としても安全性に問題のない紙製中空円錐容器を提供する。【解決手段】中空内部に食品類を収納する紙製中空円錐容器１であり、該紙製中空円錐容器１の表面をディンプル２形状に構成した紙製中空円錐容器１である。【選択図】図１
0003182071.tif 000002
【実用新案登録請求の範囲】
【請求項１】
中空内部に食品類を収納する紙製中空円錐容器であって、
該紙製中空円錐容器の表面をディンプル形状に構成したことを特徴とする紙製中空円錐容器。
【請求項２】
該紙製中空円錐容器の表裏面をディンプル形状に構成したことを特徴とする請求項１記載の紙製中空円錐容器。
【請求項３】
該紙製中空円錐容器のディンプル形状が微細なディンプル形状であることを特徴とする請求項１又は２のいずれかに記載の紙製中空円錐容器。
【請求項４】
紙製中空円錐容器が紙と樹脂シートまたはフィルムとの複層により形成されていることを特徴とする請求項１乃至３のいずれかに記載の紙製中空円錐容器。
【考案の詳細な説明】
【技術分野】
【０００１】
本考案は、紙製の中空状の円錐容器に関し、より具体的には円錐の中空内に食品等を収納する紙製中空円錐容器からなるものであり、該容器の外周にエンボスを施した紙製中空円錐容器に関する。
【背景技術】
【０００２】
紙製の中空円錐容器は該中空内に食品を収納して販売する際に多用されているものである。
この場合例えばアイスクリームや菓子等を収納した上で円錐の開口部を封鎖して収納密封することにより該アイスクリームや菓子の販売に供せられるものである。
更には、容器の外周面は印刷等されるものであり、その表面は樹脂フィルムで覆うものである。
【０００３】
特にその該表面は平滑であって、見栄えの良い表面を有している。
例えばテカリ等を有して光沢を有する外面の表出等が行われ、表面装飾の見栄えを高めているものである。
尚、このテカリを押さえるため、特開２００３-２０５９２８号(特許文献１)も存在する。
【０００４】
これは、中空の円錐容器とは異なり、円筒形状の上下に蓋を有する円柱形の紙製容器において、その円柱胴面はマット状のエンボス加工を施しているものも存在し、これによりテカリを防止している。
【先行技術文献】
【特許文献】
【０００５】
【特許文献１】特開２００３‐２０５９２８
【考案の概要】
【考案が解決しようとする課題】
【０００６】
以上の様に、紙製の中空円錐形状の容器においては、その外周面に装飾や内容表示のための図形や文字等の各種デザインが施されているものである反面表面装飾の見栄えを良くしてその表示をしっかり視認できるようにテカリ等を有するようにその該表面に樹脂シート等を配設しているものである。
【０００７】
この様に構成した中空円錐容器を多数その中空部分内に順次重積した場合には多数を重積することができ、非常に収納や運搬に便利となり、現在多用されているものである。
反面、この様に重積すると使用時においては一つずつ取り外すことが必要となるが、同一形状の中空円錐容器を該中空部分に収納するとそれぞれの容器の外表面の円錐周面と内周表面の円錐周面とが密着して収納状態を構成することから、それぞれの接触面がぴったりと張り付いてしまい、一つずつの取り外しができなくなってしまうものとなる。
【０００８】
この場合、各円錐容器の間にコーンスターチの粉を振りかけて、密着の度合いを下げ該粉により滑りを良くすることを行っている。
しかし、この様に構成してもコーンスターチの粉を振りかけたとしても、どうしても粉の掛かっていない部分が出てしまい、その部分での密着により容器の取り外しができない場合が出ているものである。
【０００９】
更にはこの方法では、コーンスターチの粉を必要とすると共に振り掛ける工程等を必要とする。
又更に、使用時において容器内のコーンスターチの粉がついていることからこれを除去することが必要となる。
従って、特段コーンスターチの粉を使用せずとも重積した中空円錐容器の取り外しを容易に行える何らかの方策が必要とされる。
【００１０】
尚、紙製容器の重積に際しての取り外しの容易化に関して、重積可能な中空容器に対してその接触面に特段の取り外し容易のための構成を有するものは用いられておらず、例えば上記した樹脂シート等に基づく容器の該面のテカリを防止するために円柱胴面にマット状のエンボス加工を施したものがある程度であり、重積時の抜けを容易化するための構成は特段存在していないものであった。
【課題を解決するための手段】
【００１１】
係るために請求項１に係る考案は、中空内部に食品類を収納する紙製中空円錐容器であって、該紙製中空円錐容器の表面をディンプル形状に構成した紙製中空円錐容器からなり、係る考案を用いることにより前記課題を解決できる。
又、請求項２に係る考案のように該紙製中空円錐容器の表裏面をディンプル形状に構成した紙製中空円錐容器を用いてもよい。
【００１２】
これらにおいて、特に請求項３に係る考案のように該紙製中空円錐容器のディンプル形状が微細なディンプル形状である紙製中空円錐容器を用いてもよく、更には請求項４に係る考案のように、紙製中空円錐容器が紙と樹脂シートまたはフィルムとの複層により形成されている紙製中空円錐容器を用いてもよい。
【考案の効果】
【００１３】
以上のように構成したことから、まず請求項１に係る考案によって、紙製中空円錐容器の表面のディンプルによって、重積時における一つずつの取り外しに際して、該容器同士間の間に数期層を形成でき、摩擦抵抗を多大に低減させることができ、スムーズな取り外しを可能とするものである。
更には表面のディンプルによって、容器表面のテカリも低減できる反射的効果も有するものである。
【００１４】
更に請求項２に係る考案によって該容器の両面にディンプルを有するものであることから、ディンプル面とディンプル面とが接するものとなって、両者間において他数か所の空気層の形成を可能とし、両者間における摩擦抵抗を更に大きく減らすことができる。
【００１５】
又請求項３に係る考案によって、微細なディンプルを形成するものであり、空気層を極めて多数個所に広範に形成することができるものであり、容器の取り外しをスムーズに行えるものとなる。
又微細なものであることから該ディンプルの凹凸部分に不用意に異物などが混入する等を防止できるものであり、衛生面でも優れた容器の提供を可能とする。
【００１６】
又請求項４に係る考案によって、樹脂層を該容器の表裏面に形成するものであっても、同様に容器間にディンプルに基づく空気層を形成できるものであり、重積時における容器の一つずつの取り外しを容易にする。
【図面の簡単な説明】
【００１７】
【図１】本考案に係る紙製中空円錐容器の一例を示す図
【図２】本考案に係る紙製中空円錐容器の一部拡大断面図
【図３】本考案に係る紙製中空円錐容器を重積した状態の一例を示す図
【図４】本考案に係る紙製中空円錐容器に菓子類を封入し、開口部を閉じた状態の一例を示す図
【図５】本考案に係る紙製中空円錐容器に菓子類を封入し、開口部に蓋をした状態の一例を示す図
【図６】本考案に係る紙製中空円錐容器にコーンを用いた外装体にソフトクリームを挿入して装着した一例を示す図
【考案を実施するための形態】
【００１８】
図１は、本考案に係る紙製中空円錐容器の一例を示す図である。
本図に示すように該容器は基本的に中空円錐形状１を有し、中空内に食品を収納するための容器である。
特に該容器は紙をもって構成されており、例えば表裏面のいずれか或いは両面に樹脂層を配して積層状態として複層化したものであってももちろんよい。
【００１９】
例えばフィルムやシートをラミネートしたものでも、コーティングしたものでもよく、複層化したものであってもよいものである。
少なくとも紙素材を用いているものであればよい。
中空内に収納する食品としては例えばコーンの外装体内にアイスクリームを収納したアイスクリームやソフトクリーム、或いは各種菓子類等を収納するための容器である。
【００２０】
従って、この様な容器は多数を該中空内に順次積層して、積層状態で保管収納運搬等されるものである。
この様な容器内に食品類を収納するに際して順次該積層した容器を一つずつ取り外して使用するものとなる。
この際、該容器の内面に該紙製容器１を円錐形状に形成するために熱可塑性樹脂を用いたものや、その外表面においても樹脂シートやフィルム等を貼着等した者が多用されているものである。
【００２１】
したがって、該積層時には、容器同士が密着して積層されているものとなり、一つずつ外すに際してもきっちりと張り付くこととなって取り外ししにくいものとなってしまう。
このことより従来は該容器表面にコーンスターチを振りまいて、すべり特性を高め、滑りやすくしているものである。
特に食品関係においては、安全性からコーンスターチの使用は多用されているものである。
【００２２】
しかし、コーンスターチをすべり特性を高めるために振りまいた場合でも、どうしても均一に振りまくことは難しく、偏りが生ずる場合もある。
これでは、一部において密着性の低減が図れず、取り外しにくいものとなる。
更にはどうしても材料費や振りまくための機器等が必要となり、コスト増を生じるものとなってしまう。
【００２３】
そこで該容器自体１をエンボス加工した紙素材を用いて形成することにより、エンボス２によって該容器１の表裏面全ての面に凹凸を形成でき、容器の密着性を著しく低減できるものとなる。
即ち容器の１表裏面にエンボス２を形成した容器を用いるものである。
したがって、積層状態から該紙製容器を一つずつ取り外しても、スムーズに取り外すことができる。
【００２４】
即ち積層した容器１同士の接触している表裏面の間にまんべんなく全体に空気層からなる隙間を形成することができ、この空気層の存在によって密着性をなくし、摩擦抵抗をなくすことができることにより、簡単かつ確実な紙製容器の一つずつの取り外しを可能とするものである。
尚、このエンボス加工は微細なエンボス２の形成を行うことが最も望ましいものである。
【００２５】
ここでエンボス２は、紙素材を例えば凹凸を有するローラー等に挟み込んで凹凸を形成するものや他の方法により紙素材に凹凸を形成するものであってもよい。
もとよりこの紙素材には紙に樹脂層を有する複層紙素材も当然に含まれるものであり、これを用いてももちろんよい。
或いは特殊インキなどを用いて片面に凹凸を形成するものであってもよい。
本図においてこの紙製中空円錐容器を成形するための合せ目や更にこの容器をむきやすくするための把持手部分を有すると共にミシン目部分を有する。
【００２６】
図２は、該紙製容器１の拡大断面図である。
本図構成は紙素材の両面に凹凸を形成した一例を示す図である。
この様に構成することにより同様な凹凸面を有する面同士を積層即ちと接触状態とした場合でも両者間に空気だまりを各所に形成できるものとなり、摩擦抵抗を極力低減できることからスムーズに取り外しができるものである。
【００２７】
尚、特にこのエンボス２は微細なエンボス２が最適である。
この微細なエンボス２により撓めて他数か所での空気だまりを形成でき、凹凸同士が噛み合いにくくなり、スムーズに面同士が移動できるものとなる。
更にはゴミなどが不用意に凹凸部分間に挟まる等のことがなくなるものでもある。
【００２８】
図３は本考案に係る紙製中空円錐容器１を多数積層状態となしたところから、一番上部に位置する紙製中空円錐容器１を一つ取り外す状態の一例を示す図である。
この様にして順次紙製中空円錐容器１の取り外しができ、収納状態から一つずつを取り外して必要な食品類を収納することができるものであって、摩擦抵抗等により重積状態での収納状態からの紙製中空円錐容器の取り外しが困難となることを防止できるものである。
【００２９】
図４及び図５に示す構成は図１に示す紙製中空円錐容器１内にアイスクリームや菓子類等３を収納して上部開口部を閉じた状態の一例を示す図である。
図４においては紙製中空円錐容器１内に菓子類３を封入し、閉鎖部４により開口部を閉じた状態の一例を示す図であり、図５は紙製中空円錐容器１内に菓子類３を封入し、閉鎖部４により開口部に蓋をした状態の一例を示す図である。
【００３０】
更に図６は、ソフトクリーム５ａのコーン製外装体５ｂを紙製中空円錐容器１の中空内に挿入して装着した一例を示す図である。
この様に本紙製中空円錐容器１は多様な状態で使用されるものである。
特に、この容器１自体は該装着時や中空内に菓子等を封入する際において使用されるものであり、そもそもそれまでの保管運搬時には重積状態で使用されるものであることから、この重積状態からの一つずつの取り外しを極めて簡単にスムーズに行えるようにした考案である。
【００３１】
尚、本考案の各図に示す紙製中空円錐容器１のディンプル形状は微細なディンプル２であり、その凹凸を図示してはいないが、前面にこのディンプルが施されているものである。
又、本考案の最適な形態は、表裏面にこのディンプル加工がなされているものであるが、これに限らず、表裏の一面に該ディンプル形状が施されているものであってもよく、更には一面の多くの面にディンプル形状を有するが一部ディンプル加工されていない部分を有するものであってもよいものである。
【符号の説明】
【００３２】
１      紙製中空円錐容器
２      ディンプル
３      菓子類
４      閉鎖部
５ａ    ソフトクリーム
５ｂ    コーン製外装体
【図１】
0003182071.tif 000003
【図２】
0003182071.tif 000004
【図３】
0003182071.tif 000005
【図４】
0003182071.tif 000006
【図５】
0003182071.tif 000007
【図６】
0003182071.tif 000008